(57)【要約】【課題】動画等の情報や物の販売の促進を行うことが可能な下着を提供する。【解決手段】下着１は、肌に向く面に、情報コード５と広告との少なくとも一方が付されている。前記下着１が下半身に着用されるパンツである。前記下着１は男性用パンツである。前記下着１は脚が通される一対の脚口３と、前記一対の脚口３の間にある股部と、を備え、前記情報コード５と前記広告との少なくとも一方が、前記股部における肌側の面に付されている。【選択図】図２
2020063531.tif 000002
【特許請求の範囲】
【請求項１】
肌に向く面に、情報コードと広告との少なくとも一方が付されている、
下着。
【請求項２】
前記下着が下半身に着用されるパンツである、
請求項１に記載の下着。
【請求項３】
前記下着が男性用パンツである、
請求項２に記載の下着。
【請求項４】
脚が通される一対の脚口と、
前記一対の脚口の間にある股部と、
を備え、
前記情報コードと前記広告との少なくとも一方が、前記股部における肌側の面に付されている、
請求項１〜３のいずれか１項に記載の下着。
【発明の詳細な説明】
【技術分野】
【０００１】
本発明は、下着に関する。
【背景技術】
【０００２】
特許文献１には、従来の下着が開示されている。特許文献１に記載の下着は、パンツの内面にメッシュが取り付けられている。
【先行技術文献】
【特許文献】
【０００３】
【特許文献１】特開２０１８−０７１００６号公報
【発明の概要】
【発明が解決しようとする課題】
【０００４】
しかし、動画や画像等の情報、物の販売等の促進を実現できる工夫がされた下着は存在しなかった。
【０００５】
本発明は、上記事情に鑑みてなされ、動画や画像等の情報や物の販売の促進を実現可能な下着を提供することを目的とする。
【課題を解決するための手段】
【０００６】
本発明に係る一態様の下着は、肌に向く面に、情報コードと広告との少なくとも一方が付されている。
【発明の効果】
【０００７】
本発明に係る上記態様の下着は、動画や画像等の情報や物の販売の促進を実現可能である、という利点がある。
【図面の簡単な説明】
【０００８】
【図１】図１は、本発明の一実施形態の下着の使用状態の斜視図である。
【図２】図２Ａは、同上の下着を着用したユーザが便器に座ったときの側面図である。図２Ｂは、図２Ａの状態におけるユーザからみた下着の図である。
【発明を実施するための形態】
【０００９】
（１）実施形態
以下、本実施形態に係る下着１について、詳細に説明する。
【００１０】
本実施形態に係る下着１は、ユーザ（着用者）の下半身に着用されるパンツ（アンダーウエア）である。特に、本実施形態に係る下着１は、図１に示すように、男性用の下着である。男性用の下着としては、例えば、トランクス、ボクサーパンツ、ブリーフパンツ、ビキニパンツ等が挙げられる。下着１は、図１に示すように、下着本体２と、情報コード５と、を備える。
【００１１】
下着本体２は、本実施形態では、下着１の主体を構成する。下着本体２の生地は、例えば、綿、シルク、ポリエステル等であり、特に制限はない。下着本体２は、一対の脚口３と、胴口４と、股部と、を備える。
【００１２】
脚口３にはユーザの脚７が通される。脚口３は、左右方向に間隔をおいて並んでいる。各脚口３は、胴口４に通じている。胴口４には、ユーザの胴が通される。
【００１３】
股部は、脚口３の間にある所定の範囲を持つ部分である。股部は、着用した際のユーザの股に対応する位置に配置される。股部は、一例として、下着本体２の前後方向の中央を対称にして、１０〜１５ｃｍ四方の範囲、他の例として、下着本体２の前後方向の中央から半径５〜１０ｃｍの範囲が例示される。ただし、股部は、下着本体２のサイズに応じて変わり得るため、具体的な範囲は上記値に限定されない。股部には、図２Ｂに示すように、情報コード５が付されている。
【００１４】
情報コード５は、読取り機で読み取った際にデータ変換が可能なコードである。情報コード５としては、例えば、ＱＲコード（登録商標）、バーコード（ＪＡＮコード、ＥＡＮコード、ＵＰＣコード等）、等が挙げられる。情報コード５は、本実施形態では、下着本体２の股部のうち、肌側の面に付される。ここでいう「付される」には、情報コード５が生地に直接印刷されていることや、情報コード５が印刷された生地が下着本体２に取り付けられる（例えば、縫合、接着等）こと等が含まれる。本実施形態に係る情報コード５は、二次元バーコードであるＱＲコード（登録商標）である。
【００１５】
より詳細には、情報コード５は、股部の中央部に配置される。ここでいう「股部の中央部」とは、一例として、胴口４の中央を通して見て、一対の脚口３の中心同士を結ぶ線分の中心から半径約５ｃｍの範囲を含む。ただし、上述のように、股部のサイズは下着本体２のサイズに応じて変化し得るため、上記一例に限定されない。情報コード５は、股部の中央近傍に付されていればよい。
【００１６】
情報コード５は、例えば、ユーザが所有する情報端末６によって読み取られる。情報端末６は、本実施形態では携帯情報端末であり、例えば、スマートフォン、タブレットＰＣ、ＰＤＡ（Personal Data Assistant）、カメラ付き携帯電話、バーコードリーダ、カメラ付き携帯ゲーム機等が挙げられる。情報端末６は、カメラ（撮像部）を有し、カメラによって情報コード５を撮像する。情報端末６は、情報コード５を撮像することで、データに変換して、情報コード５に記録されている情報を認識する。
【００１７】
情報コード５に記録された情報としては、例えば、商品の広告、特定のウェブサイトのＵＲＬ（Uniform Resource Locator）等が挙げられる。ウェブサイトのＵＲＬとして、映画等の動画サイト（アダルトビデオが記録されたサイトを含む）や、動画投稿サイトを初めとしたＳＮＳ（Social Networking Service）のサイト、商品紹介のコマーシャル用のサイト等が例示される。
【００１８】
ユーザは、図２Ａに示すように、ズボン及び下着１を膝よりも下に下げた状態で、便座に着座し、用を足す。このとき、図２Ｂに示すように、下着１の股部（特に、中央部）が露出して、情報コード５（ここでは、ＱＲコード（登録商標））が正規の向きで現れる。
【００１９】
ユーザは、この状態で、自らが所有する情報端末６を用いて、情報コード５（ここでは、ＱＲコード（登録商標））を撮像し、データ変換する。情報端末６は、変換されたデータに基づいて、通信ネットワーク経由で、例えば、特定のウェブサイトにアクセスし、情報端末６の表示部に情報を表示させる。これにより、ユーザは、便座に座って落ち着いた心理状態で、情報端末６に表示された動画等を閲覧することができる。
【００２０】
本実施形態では、一例として、下着１ごとに異なる動画サイトのＵＲＬが格納された情報コード５が付される。これにより、動画を見たユーザに対し、多種類の下着１を購入する意欲を呼び起こすことができ、下着１の販売促進を行うことができる。また、他例として、動画にストーリー性をもたせ、続きの動画を見たい気持ちをかき立てて、多種類の下着１を購入する意欲を呼び起こすことができる。さらに他例として、動画サイトにおいて、閲覧できる動画を一定時間に制限してもよい。一定時間経過後に動画を閲覧するには、課金するように設定してもよい。これによって、下着１の販売促進だけでなく、動画や写真等の販売の促進も行うことができる。
（２）変形例
【００２１】
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００２２】
上記実施形態では、下着本体２の肌側の面の股部の中央部において、情報コード５を付したが、下着本体２に付すものは情報コード５に限らない。例えば、商品の広告を直接付してもよいし、標語や注意書き等の文字列（例えば、「お漏らし厳禁」の文字）を付してもよい。また、情報コード５と広告との両方を付してもよい。
【００２３】
上記実施形態では、男性用の下着１であったが、女性用の下着１であってもよい。また、パンツに限らず、ブラジャー、インナーシャツ、ステテコ等の肌着の肌側の面に、情報コード５が付されてもよい。
（３）態様
【００２４】
以上説明したように、第１の態様に係る下着１は、肌に向く面に、情報コード５と広告との少なくとも一方が付されている。
【００２５】
この態様によれば、情報コード５又は広告によって、下着１等の販売の促進を行うことができる。
【００２６】
第２の態様に係る下着１では、第１の態様において、下着１が下半身に着用されるパンツである。
【００２７】
この態様によれば、例えば、便器で用を足しているときに、ユーザに、情報コード５又は広告を見せることができ、また、リラックスしたときに情報コード５又は広告によって販売促進を行うことができる。
【００２８】
第３の態様に係る下着１では、第１又は第２の態様において、脚７が通される一対の脚口３と、一対の脚口３の間にある股部と、を備える。情報コード５と広告との少なくとも一方が、股部における肌側の面に付されている。
【００２９】
この態様によれば、下着１を膝まで下げて便器に着座したときに、情報コード５又は広告が露出するため、リラックスしているときに、販売の促進等を行うことができる。
【００３０】
第２又は第３の態様に係る構成については、下着１に必須の構成ではなく、適宜省略可能である。
【符号の説明】
【００３１】
１      下着
３      脚口
５      情報コード
７      脚
【図１】
2020063531.tif 000003
【図２】
2020063531.tif 000004
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
脚が通される一対の脚口と、
前記一対の脚口の間にある股部と、
を備え、
情報コードと広告との少なくとも一方が印刷された生地が、前記股部における肌側の面に取り付けられ、
前記情報コードに記録された情報は、動画サイトと、ＳＮＳのサイトと、商品紹介のコマーシャル用のサイトとのいずれかのＵＲＬである、
下着。
【請求項２】
前記動画サイトは、閲覧できる動画が一定時間に制限されている、
請求項１に記載の下着。
【請求項３】
前記動画サイトは、閲覧できる動画が一定時間に制限され、一定時間経過後に動画を閲覧するためには課金するように設定されている
請求項１に記載の下着。